(57)【要約】【課題】隣り合う配線同士の接触を防ぐとともに、表示品位の低下を防ぐことができる表示装置を提供する。【解決手段】当該表示装置の外部から入力された少なくとも赤緑青それぞれの色に対応する映像信号に基づいて生成された入力信号が入力される駆動回路と、前記駆動回路に接続された複数の接続配線ＣＮＬ−Ｒ，ＣＮＬ−Ｇ，ＣＮＬ−Ｂと、前記駆動回路から出力された出力信号が複数の接続配線ＣＮＬ−Ｒ，ＣＮＬ−Ｇ，ＣＮＬ−Ｂを介して入力される、表示領域に配置された複数の信号線とが形成された基板と、を含む表示装置であって、それぞれの色に対応する出力信号が供給される複数の接続配線ＣＮＬ−Ｒ，ＣＮＬ−Ｇ，ＣＮＬ−Ｂは、前記基板において、それぞれの色に対応して互いに異なる層に形成されている。【選択図】図２
2015007676.tif 000002
【特許請求の範囲】
【請求項１】
当該表示装置の外部から入力された少なくとも赤緑青それぞれの色に対応する映像信号に基づいて生成された入力信号が入力される駆動回路と、
前記駆動回路に接続された複数の接続配線と、前記駆動回路から出力された出力信号が該複数の接続配線を介して入力される、表示領域に配置された複数の信号線とが形成された基板と、
を含む表示装置であって、
それぞれの色に対応する出力信号が供給される前記複数の接続配線は、前記基板において、それぞれの色に対応して互いに異なる層に形成されていることを特徴とする表示装置。
【請求項２】
少なくとも、赤色に対応する前記出力信号が供給される前記接続配線が形成されるＲ層と、緑色に対応する前記出力信号が供給される前記接続配線が形成されるＧ層と、青色に対応する前記出力信号が供給される前記接続配線が形成されるＢ層と、を含み、
前記Ｒ層、前記Ｇ層及び前記Ｂ層は、相互に絶縁層を介して積層されていることを特徴とする請求項１に記載の表示装置。
【請求項３】
前記複数の信号線は、前記絶縁層に形成されたコンタクトホールを介して、前記複数の接続配線に接続されていることを特徴とする請求項２に記載の表示装置。
【請求項４】
それぞれの色に対応する出力信号が供給される前記複数の接続配線が配置される層位置に応じて、前記映像信号を補正する補正手段を備え、
前記駆動回路には、前記補正手段により補正された信号が前記入力信号として入力されることを特徴とする請求項１から３の何れか１項に記載の表示装置。
【請求項５】
前記補正手段は、前記接続配線が配置される層位置が前記基板に近い層ほど、前記映像信号に対する補正量を大きくすることを特徴とする請求項４に記載の表示装置。
【請求項６】
当該表示装置の外部から入力された少なくとも赤緑青それぞれの色に対応する映像信号に基づいて生成された入力信号が入力される駆動回路と、
前記駆動回路に接続された複数の接続配線と、前記駆動回路から出力された出力信号が該複数の接続配線を介して入力される、表示領域に配置された複数の信号線とが形成された基板と、
を含む表示装置であって、
前記基板において、隣り合う２本の前記接続配線は互いに異なる層に形成されており、
それぞれの色に対応する出力信号が供給される前記複数の接続配線が配置される層位置に応じて、前記映像信号を補正する補正手段を備え、
前記駆動回路には、前記補正手段により補正された信号が前記入力信号として入力されることを特徴とする表示装置。
【請求項７】
それぞれの色に対応する前記複数の接続配線は、それぞれ、互いに異なる層に形成される第１接続配線と第２接続配線とに分類され、
前記補正手段は、前記第１接続配線に対応する前記映像信号に対する補正量と、前記第２接続配線に対応する前記映像信号に対する補正量とを、互いに異ならせることを特徴とする請求項６に記載の表示装置。
【請求項８】
前記第１接続配線は前記基板側の下層に形成され、前記第２接続配線は絶縁層を介して前記第１接続配線の上層に形成されており、
赤色に対応する前記複数の接続配線は、下層に形成される第１Ｒ接続配線と、上層に形成される第２Ｒ接続配線とに分類され、
緑色に対応する前記複数の接続配線は、下層に形成される第１Ｇ接続配線と、上層に形成される第２Ｇ接続配線とに分類され、
青色に対応する前記複数の接続配線は、下層に形成される第１Ｂ接続配線と、上層に形成される第２Ｂ接続配線とに分類され、
前記補正手段は、前記第１Ｒ接続配線に対応する赤色の前記映像信号に対する補正量を、前記第２Ｒ接続配線に対応する赤色の前記映像信号に対する補正量よりも大きくし、前記第１Ｇ接続配線に対応する緑色の前記映像信号に対する補正量を、前記第２Ｇ接続配線に対応する緑色の前記映像信号に対する補正量よりも大きくし、前記第１Ｂ接続配線に対応する青色の前記映像信号に対する補正量を、前記第２Ｂ接続配線に対応する青色の前記映像信号に対する補正量よりも大きくする、
ことを特徴とする請求項７に記載の表示装置。
【請求項９】
前記補正手段は、前記映像信号に対応する階調を強調する補正を行うことを特徴とする請求項４から８の何れか１項に記載の表示装置。
【発明の詳細な説明】
【技術分野】
【０００１】
本発明は、表示装置に関し、特には、表示パネルの表示領域外に配置される配線に関する。
【背景技術】
【０００２】
近年、表示装置は、高精細化、小型化等に伴い、隣り合う配線同士の間隔が狭くなっている。特に、表示領域に形成される信号線に電気的に接続される配線は、表示領域外において複数本ずつに束ねられて複数の駆動回路に接続され、その延在方向が信号線の延在方向に対して斜め方向となり、上記間隔が極めて狭くなっている。このような所謂斜め配線では、隣り合う配線同士が互いに接触したり、この接触を防ぐために配線を細くすることによる断線が生じたりする問題がある。
【０００３】
上記問題を解決する技術が、例えば特許文献１に記載されている。特許文献１に記載の構成では、隣り合う配線同士を互いに異なる層に形成している。これにより、同一層において隣り合う配線同士の間隔が広がるため、隣り合う配線同士の接触を防ぐことができる。
【先行技術文献】
【特許文献】
【０００４】
【特許文献１】特開２００９−１８７０２６号公報
【発明の概要】
【発明が解決しようとする課題】
【０００５】
しかしながら、上記特許文献１の構成では、それぞれの配線における層構造の相違に起因する配線抵抗の差の影響により、表示品位が低下するという問題がある。
【０００６】
例えば、表示領域外における複数の配線について、隣り合う配線の一方を下層に形成し他方を上層に形成して２層構造とした場合、下層の配線に電気的に接続されるコンタクト部における抵抗値と、上層の配線に電気的に接続されるコンタクト部における抵抗値とが、コンタクトホールの深さに応じて互いに異なる。このため、上記複数の配線に赤緑青（ＲＧＢ）に対応する信号がそれぞれ供給される場合、Ｒ信号が供給される配線とＧ信号が供給される配線とＢ信号が供給される配線とが、上層及び下層に交互に形成されることになるため、色毎に対応する配線の層構造が異なるとともに、同一色に対応する配線間でも層構造が異なる。これにより、それぞれの配線における配線抵抗にばらつきが生じ、それぞれの画素に印加される電圧が所望の電圧とは異なってしまう。よって、所望の表示品位が得られないという問題が生じる。
【０００７】
本発明は、上記課題に鑑みてなされたものであり、その目的は、隣り合う配線同士の接触を防ぐとともに、表示品位の低下を防ぐことができる表示装置を提供することである。
【課題を解決するための手段】
【０００８】
本発明に係る表示装置は、上記課題を解決するために、当該表示装置の外部から入力された少なくとも赤緑青それぞれの色に対応する映像信号に基づいて生成された入力信号が入力される駆動回路と、前記駆動回路に接続された複数の接続配線と、前記駆動回路から出力された出力信号が該複数の接続配線を介して入力される、表示領域に配置された複数の信号線とが形成された基板と、を含む表示装置であって、それぞれの色に対応する出力信号が供給される前記複数の接続配線は、前記基板において、それぞれの色に対応して互いに異なる層に形成されていることを特徴とする。
【０００９】
本発明に係る表示装置では、少なくとも、赤色に対応する前記出力信号が供給される前記接続配線が形成されるＲ層と、緑色に対応する前記出力信号が供給される前記接続配線が形成されるＧ層と、青色に対応する前記出力信号が供給される前記接続配線が形成されるＢ層と、を含み、前記Ｒ層、前記Ｇ層及び前記Ｂ層は、相互に絶縁層を介して積層されていてもよい。
【００１０】
本発明に係る表示装置では、前記複数の信号線は、前記絶縁層に形成されたコンタクトホールを介して、前記複数の接続配線に接続されていてもよい。
【００１１】
本発明に係る表示装置では、それぞれの色に対応する出力信号が供給される前記複数の接続配線が配置される層位置に応じて、前記映像信号を補正する補正手段を備え、前記駆動回路には、前記補正手段により補正された信号が前記入力信号として入力される構成であってもよい。
【００１２】
本発明に係る表示装置では、前記補正手段は、前記接続配線が配置される層位置が前記基板に近い層ほど、前記映像信号に対する補正量を大きくする構成としてもよい。
【００１３】
本発明に係る表示装置は、上記課題を解決するために、当該表示装置の外部から入力された少なくとも赤緑青それぞれの色に対応する映像信号に基づいて生成された入力信号が入力される駆動回路と、前記駆動回路に接続された複数の接続配線と、前記駆動回路から出力された出力信号が該複数の接続配線を介して入力される、表示領域に配置された複数の信号線とが形成された基板と、を含む表示装置であって、前記基板において、隣り合う２本の前記接続配線は互いに異なる層に形成されており、それぞれの色に対応する出力信号が供給される前記複数の接続配線が配置される層位置に応じて、前記映像信号を補正する補正手段を備え、前記駆動回路には、前記補正手段により補正された信号が前記入力信号として入力されることを特徴とする。
【００１４】
本発明に係る表示装置では、それぞれの色に対応する前記複数の接続配線は、それぞれ、互いに異なる層に形成される第１接続配線と第２接続配線とに分類され、前記補正手段は、前記第１接続配線に対応する前記映像信号に対する補正量と、前記第２接続配線に対応する前記映像信号に対する補正量とを、互いに異ならせてもよい。
【００１５】
本発明に係る表示装置では、前記第１接続配線は前記基板側の下層に形成され、前記第２接続配線は絶縁層を介して前記第１接続配線の上層に形成されており、赤色に対応する前記複数の接続配線は、下層に形成される第１Ｒ接続配線と、上層に形成される第２Ｒ接続配線とに分類され、緑色に対応する前記複数の接続配線は、下層に形成される第１Ｇ接続配線と、上層に形成される第２Ｇ接続配線とに分類され、青色に対応する前記複数の接続配線は、下層に形成される第１Ｂ接続配線と、上層に形成される第２Ｂ接続配線とに分類され、前記補正手段は、前記第１Ｒ接続配線に対応する赤色の前記映像信号に対する補正量を、前記第２Ｒ接続配線に対応する赤色の前記映像信号に対する補正量よりも大きくし、前記第１Ｇ接続配線に対応する緑色の前記映像信号に対する補正量を、前記第２Ｇ接続配線に対応する緑色の前記映像信号に対する補正量よりも大きくし、前記第１Ｂ接続配線に対応する青色の前記映像信号に対する補正量を、前記第２Ｂ接続配線に対応する青色の前記映像信号に対する補正量よりも大きくしてもよい。
【００１６】
本発明に係る表示装置では、前記補正手段は、前記映像信号に対応する階調を強調する補正を行ってもよい。
【発明の効果】
【００１７】
本発明に係る表示装置の構成によれば、それぞれの色に対応する接続配線の層構造を近似することができるため、それぞれの色に対応する接続配線における配線抵抗のばらつきを低減することができる。よって、隣り合う配線同士の接触を防ぐとともに、表示品位の低下を防ぐことができる。
【図面の簡単な説明】
【００１８】
【図１】本発明の実施形態１に係る液晶表示装置の概略構成を示す平面図である。
【図２】図１の線Ａ−Ｂにおける表示パネルの断面構造の一部を示す図である。
【図３】構成例１−１に係る液晶表示装置における制御回路の概略構成を示すブロック図である。
【図４】構成例１−２に係る液晶表示装置における制御回路の一構成例を示すブロック図である。
【図５】Ｒ信号用ＬＵＴの一例を示す図である。
【図６】Ｇ信号用ＬＵＴの一例を示す図である。
【図７】Ｂ信号用ＬＵＴの一例を示す図である。
【図８】図１の線Ａ−Ｂにおける実施形態２に係る液晶表示装置の表示パネルの断面構造の一部を示す図である。
【図９】構成例２−１に係る液晶表示装置における制御回路の概略構成を示すブロック図である。
【図１０】構成例２−２に係る液晶表示装置における制御回路の概略構成を示すブロック図である。
【図１１】第１Ｒ信号用ＬＵＴの一例を示す図である。
【図１２】第２Ｒ信号用ＬＵＴの一例を示す図である。
【発明を実施するための形態】
【００１９】
本発明の実施形態について、図面を用いて以下に説明する。本実施形態では、液晶表示装置を例に挙げるが、本発明に係る表示装置は液晶表示装置に限定されるものではなく、例えば、有機ＥＬ表示装置等であってもよい。
【００２０】
［実施形態１］
図１は、本発明の実施形態１に係る液晶表示装置１の概略構成を示す平面図である。液晶表示装置１は、画像を表示する表示パネル１０と、表示パネル１０を駆動する駆動回路（ゲートドライバ１１、ソースドライバ１２）と、駆動回路を制御する制御回路２０と、表示パネル１０に背面側から光を照射するバックライト（図示せず）とを含んで構成されている。
【００２１】
表示パネル１０は、行方向に延在する複数のゲートラインＧＬ１〜ＧＬｎと、列方向に延在する複数のデータラインＤＬ１〜ＤＬｍとを備え、各ゲートラインとデータラインとが交差する部分に画素領域が形成されている。表示パネル１０の表示領域には、複数の画素領域が行方向及び列方向にマトリクス状に配列されている。ゲートラインＧＬ１〜ＧＬｎはゲートドライバ１１に接続され、データラインＤＬ１〜ＤＬｍは、複数本ずつ束ねられて複数本の接続配線ＣＮＬを介して複数のソースドライバ１２のそれぞれに接続されている。
【００２２】
制御回路２０には、外部の信号源から、少なくとも赤（Ｒ）色、緑（Ｇ）色及び青（Ｂ）色に対応するＲＧＢ方式の映像信号（Ｒ信号、Ｇ信号、Ｂ信号）が入力される。また、制御回路２０には、映像信号に対応する水平同期信号及び垂直同期信号と、表示動作を制御するための制御信号とが入力される。制御回路２０は、入力されたこれらの信号に基づき、映像信号（Ｒ信号、Ｇ信号、Ｂ信号）の表す画像を表示パネル１０に表示させるための信号として、映像信号に加えて、データスタートパルス信号、データクロック信号、ゲートスタートパルス信号、ゲートクロック信号、ゲートドライバ出力制御信号等を生成し出力する。
【００２３】
ゲートドライバ１１は、制御回路２０から出力される、ゲートスタートパルス信号、ゲートクロック信号、ゲートドライバ出力制御信号等に基づき、ゲートラインＧＬ１〜ＧＬｎに順次、ゲート信号（ゲートオン電圧）を出力する。ゲートドライバ１１は、複数のドライバ回路が縦続接続されて構成されていてもよい。
【００２４】
複数のソースドライバ１２のそれぞれは、テープキャリアパッケージＴＣＰに搭載され、複数のテープキャリアパッケージＴＣＰのそれぞれは、駆動回路基板ＰＣＢに接続されている。各ソースドライバ１２には、駆動回路基板ＰＣＢ及びテープキャリアパッケージＴＣＰを介して、制御回路２０から各種信号が供給される。複数のデータラインＤＬのそれぞれは、接続配線ＣＮＬを介して、対応するソースドライバ１２に接続されている。複数のソースドライバ１２のそれぞれには、複数本に束ねられたデータラインＤＬが、対応する接続配線ＣＮＬを介して接続されている。
【００２５】
例えば、表示パネル１０の解像度がＷＵＸＧＡ（横１９２０×３画素（ＲＧＢ）＝５７６０画素、縦１２００画素）であって、ソースドライバ１２が６個設けられている場合、データラインＤＬの総数５７６０本が６等分され、それぞれのソースドライバ１２に、９６０本のデータラインＤＬが９６０本の接続配線ＣＮＬを介して接続される。なお、それぞれのデータラインＤＬには、Ｒ色、Ｇ色及びＢ色の何れかの色に対応するデータ信号が供給される。
【００２６】
複数のデータラインＤＬは、表示領域において列方向に延在して形成されており、接続配線ＣＮＬは、表示領域外において、対応するデータラインＤＬとソースドライバ１２の端子部とを相互に電気的に接続している。このように、各ソースドライバ１２には、接続配線ＣＮＬを介して、複数本のデータラインＤＬが束ねられて接続されているため、接続配線ＣＮＬの一部は、データラインＤＬの延在方向に対して斜め方向に形成される。接続配線ＣＮＬの具体的な構成は後述する。
【００２７】
ソースドライバ１２は、制御回路２０から出力される、映像信号（Ｒ信号、Ｇ信号、Ｂ信号）、データスタートパルス信号、データクロック信号等に基づき、該ソースドライバ１２に対応する複数のデータラインＤＬにデータ信号（階調電圧；出力信号）を出力する。
【００２８】
各画素領域では、アクティブマトリクス表示が行われる。具体的には、ゲートドライバ１１からゲートラインＧＬへゲート信号を供給し、ソースドライバ１２からデータラインＤＬへデータ信号を供給する。ゲート信号が供給されたゲートラインＧＬに接続された薄膜トランジスタＴＦＴがオン状態になると、該ＴＦＴに接続されたデータラインＤＬを介してデータ信号が画素電極ＰＸに供給される。画素電極ＰＸに供給されたデータ信号の電位と、コモンドライバ（図示せず）から共通電極ＣＴに供給された共通（コモン）電位Ｖｃｏｍとの電位差（電圧）が液晶層ＬＣに印加される。これにより、光の透過率を制御して画像表示が行われる。なお、液晶層ＬＣに印加される電圧の低下を防止するために、各画素領域に保持容量が形成されていてもよい。
【００２９】
ここで、接続配線ＣＮＬの具体的な構成について図２を用いて説明する。図２は、図１の線Ａ−Ｂにおける表示パネル１０の断面構造の一部を示す図である。ここでは、Ｒ色に対応するデータ信号が供給される接続配線ＣＮＬ及びデータラインＤＬを、Ｒ用接続配線ＣＮＬ−Ｒ及びＲ用データラインＤＬ−Ｒと称し、Ｇ色に対応するデータ信号が供給される接続配線ＣＮＬ及びデータラインＤＬを、Ｇ用接続配線ＣＮＬ−Ｇ及びＧ用データラインＤＬ−Ｇと称し、Ｂ色に対応するデータ信号が供給される接続配線ＣＮＬ及びデータラインＤＬを、Ｂ用接続配線ＣＮＬ−Ｂ及びＢ用データラインＤＬ−Ｂと称す。なお、図２では、表示領域に形成される、Ｒ用データラインＤＬ−Ｒ、Ｇ用データラインＤＬ−Ｇ、及びＢ用データラインＤＬ−Ｂを省略している。
【００３０】
図２に示すように、表示パネル１０では、基板１０１上に絶縁膜１０２（絶縁層）が形成されており、絶縁膜１０２上にＲ用接続配線ＣＮＬ−Ｒが形成されている。また、Ｒ用接続配線ＣＮＬ−Ｒを覆うように絶縁膜１０３（絶縁層）が形成されており、絶縁膜１０３上にＧ用接続配線ＣＮＬ−Ｇが形成されている。また、Ｇ用接続配線ＣＮＬ−Ｇを覆うように絶縁膜１０４（絶縁層）が形成されており、絶縁膜１０４上にＢ用接続配線ＣＮＬ−Ｂが形成されている。さらに、Ｂ用接続配線ＣＮＬ−Ｂを覆うように絶縁膜１０５（絶縁層）が形成されている。
【００３１】
それぞれの接続配線ＣＮＬ上の絶縁膜には、それぞれの接続配線ＣＮＬに達するコンタクトホールが形成されており、それぞれのコンタクトホール内には導電膜１０６が形成されており、それぞれの接続配線ＣＮＬは導電膜１０６を介して、対応するデータラインＤＬに電気的に接続されている。具体的には、Ｒ用接続配線ＣＮＬ−Ｒ上の絶縁膜１０３，１０４，１０５にコンタクトホールＣＨ−Ｒが形成されており、その内部に導電膜１０６が形成され、Ｒ用接続配線ＣＮＬ−ＲとＲ用データラインＤＬ−Ｒとが電気的に接続されている。また、Ｇ用接続配線ＣＮＬ−Ｇ上の絶縁膜１０４，１０５にコンタクトホールＣＨ−Ｇが形成されており、その内部に導電膜１０６が形成され、Ｇ用接続配線ＣＮＬ−ＧとＧ用データラインＤＬ−Ｇとが電気的に接続されている。また、Ｂ用接続配線ＣＮＬ−Ｂ上の絶縁膜１０５にコンタクトホールＣＨ−Ｂが形成されており、その内部に導電膜１０６が形成され、Ｂ用接続配線ＣＮＬ−ＢとＢ用データラインＤＬ−Ｂとが電気的に接続されている。
【００３２】
このように、Ｒ用接続配線ＣＮＬ−Ｒは、基板１０１に最も近い層に形成され、Ｂ用接続配線ＣＮＬ−Ｂは、基板１０１から最も遠い層に形成され、Ｇ用接続配線ＣＮＬ−Ｇは、これらの層の間の層に形成されている。Ｒ用接続配線ＣＮＬ−Ｒが形成される層をＲ層、Ｇ用接続配線ＣＮＬ−Ｇが形成される層をＧ層、Ｂ用接続配線ＣＮＬ−Ｂが形成される層をＢ層とする。複数のＲ用接続配線ＣＮＬ−Ｒは同一層（Ｒ層）に形成され、複数のＧ用接続配線ＣＮＬ−Ｇは同一層（Ｇ層）に形成され、複数のＢ用接続配線ＣＮＬ−Ｂは同一層（Ｂ層）に形成されている。Ｒ層、Ｇ層及びＢ層は、相互に絶縁膜１０３，１０４を介して積層されており、具体的には、Ｒ層及びＧ層は絶縁膜１０３を介して積層され、Ｇ層及びＢ層は絶縁膜１０４を介して積層され、Ｒ層及びＢ層は絶縁膜１０３，１０４を介して積層されている。
【００３３】
図２では、基板１０１側からＲ層、Ｇ層、Ｂ層の順に積層されているが、本発明はこれに限定されず、例えばＧ層、Ｒ層、Ｂ層の順に積層されていてもよいし、他の順に積層されていてもよい。このように、それぞれの色に対応するデータ信号が供給される複数の接続配線ＣＮＬは、基板１０１において、それぞれの色に対応して互いに異なる層に形成されている。
【００３４】
上記の構成によれば、異なる層において隣り合う接続配線同士の間には絶縁膜が介在しているため、隣り合う配線同士の接触を防ぐことができる。例えば、Ｒ用接続配線ＣＮＬ−ＲとＧ用接続配線ＣＮＬ−Ｇとの間には絶縁膜１０３が介在しているため、これら接続配線同士の接触を防ぐことができる。また、同一層において隣り合う接続配線同士の間隔が広くなるため、隣り合う配線同士の接触を防ぐことができる。例えば、Ｒ層において隣り合うＲ用接続配線ＣＮＬ−Ｒ同士の間隔が広くなるため、これら接続配線同士の接触を防ぐことができる。
【００３５】
また、上記の構成によれば、それぞれの色に対応する接続配線ＣＮＬの層構造を近似することができる。具体的には、複数のＲ用接続配線ＣＮＬ−Ｒは全てＲ層に形成されるため、Ｒ用接続配線ＣＮＬ−Ｒにおける配線抵抗を近似することができる。同様に、複数のＧ用接続配線ＣＮＬ−Ｇは全てＧ層に形成されるため、Ｇ用接続配線ＣＮＬ−Ｇにおける配線抵抗を近似することができ、複数のＢ用接続配線ＣＮＬ−Ｂは全てＢ層に形成されるため、Ｂ用接続配線ＣＮＬ−Ｂにおける配線抵抗を近似することができる。これにより、同一色に対応する接続配線ＣＮＬの配線抵抗のばらつきを低減することができる。よって、隣り合う配線同士の接触を防ぐとともに、表示品位の低下を防ぐことができる。
【００３６】
ここで、上記の構成では、Ｒ層、Ｇ層及びＢ層でコンタクトホール（ＣＨ−Ｒ、ＣＨ−Ｇ、ＣＨ−Ｂ）の深さが互いに異なるため、Ｒ用接続配線ＣＮＬ−Ｒにおける配線抵抗と、Ｇ用接続配線ＣＮＬ−Ｇにおける配線抵抗と、Ｂ用接続配線ＣＮＬ−Ｂにおける配線抵抗とが互いに異なる。そこで、色（層）ごとに対応する接続配線の配線抵抗のばらつきに起因する電圧変動を補償して表示品位をより高める液晶表示装置の構成について、構成例１−１，１−２を説明する。
【００３７】
［構成例１−１］
図３は、構成例１−１に係る液晶表示装置１における制御回路２０ａの概略構成を示すブロック図である。制御回路２０ａは、信号補正部２１及び信号補正ＬＵＴ２２を含んでいる。信号補正部２１は、外部の信号源から映像信号（Ｒ信号、Ｇ信号、Ｂ信号）を受け取り、信号補正ＬＵＴ２２を参照して映像信号を補正し、補正した補正映像信号（Ｒ´信号、Ｇ´信号、Ｂ´信号）をソースドライバ１２へ出力する。
【００３８】
具体的には、信号補正部２１は、Ｒ信号補正部２１ｒ、Ｇ信号補正部２１ｇ及びＢ信号補正部２１ｂを含み、信号補正ＬＵＴ２２は、Ｒ信号補正ＬＵＴ、Ｇ信号補正ＬＵＴ及びＢ信号補正ＬＵＴを含んでいる。Ｒ信号補正部２１ｒは、外部の信号源から入力されたＲ信号を、Ｒ信号補正ＬＵＴに基づき補正し、Ｇ信号補正部２１ｇは、外部の信号源から入力されたＧ信号を、Ｇ信号補正ＬＵＴに基づき補正し、Ｂ信号補正部２１ｂは、外部の信号源から入力されたＢ信号を、Ｂ信号補正ＬＵＴに基づき補正する。
【００３９】
信号補正ＬＵＴ２２には、色毎に、映像信号と、補正映像信号とが関連付けられたテーブル（ＬＵＴ）が記憶されている。各テーブルに記憶される補正映像信号は、コンタクトホールの深さに応じて予め設定される。例えば、コンタクトホールの深さが最も浅いＢ層に対応するＢ信号については、映像信号（Ｂ信号）の電圧値に係数１．１を乗じて得た電圧値が補正映像信号（Ｂ´信号）に設定され、コンタクトホールの深さが最も深いＲ層に対応するＲ信号については、映像信号（Ｒ信号）の電圧値に係数１．３を乗じて得た電圧値が補正映像信号（Ｒ´信号）に設定され、コンタクトホールの深さがＲ層及びＢ層の中間深さとなるＧ層に対応するＧ信号については、映像信号（Ｇ信号）の電圧値に係数１．２を乗じて得た電圧値が補正映像信号（Ｇ´信号）に設定される。補正映像信号の電圧値はこれに限定されるものではなく、同一階調において、Ｒ´信号の電圧＞Ｇ´信号の電圧＞Ｂ´信号の電圧の関係を満たせばよい。
【００４０】
制御回路２０ａは、上記のように補正した補正映像信号（Ｒ´信号、Ｇ´信号、Ｂ´信号）をソースドライバ１２へ出力する。各ソースドライバ１２は、補正映像信号に基づいて、データ信号（階調電圧；出力信号）を出力する。具体的には、各ソースドライバ１２は、Ｒ´信号に基づき生成したデータ信号を、Ｒ用接続配線ＣＮＬ−Ｒを介してＲ用データラインＤＬ−Ｒに供給し、Ｇ´信号に基づき生成したデータ信号を、Ｇ用接続配線ＣＮＬ−Ｇを介してＧ用データラインＤＬ−Ｇに供給し、Ｂ´信号に基づき生成したデータ信号を、Ｂ用接続配線ＣＮＬ−Ｂを介してＢ用データラインＤＬ−Ｂに供給する。
【００４１】
上記の構成によれば、信号補正部２１により補正されたそれぞれの色に対応する補正量（電圧増加分）は、それぞれの色に対応する接続配線ＣＮＬにおける配線抵抗に起因する電圧低下分によって相殺される。具体的には例えば、Ｒ信号補正部２１ｒにより補正された補正量ΔＶをΔＶｒ（電圧増加分）とすると、電圧増加分ΔＶｒは、Ｒ用接続配線ＣＮＬ−Ｒにおける配線抵抗に起因する電圧低下分により相殺される。また、Ｇ信号補正部２１ｇにより補正された補正量ΔＶをΔＶｇ（電圧増加分）とすると、電圧増加分ΔＶｇは、Ｇ用接続配線ＣＮＬ−Ｇにおける配線抵抗に起因する電圧低下分により相殺される。また、Ｂ信号補正部２１ｂにより補正された補正量ΔＶをΔＶｂ（電圧増加分）とすると、電圧増加分ΔＶｂは、Ｂ用接続配線ＣＮＬ−Ｂにおける配線抵抗に起因する電圧低下分により相殺される。
【００４２】
このように、配線抵抗に起因する電圧低下を映像信号の補正により補償することができるため、表示画像において、入力映像信号に応じた所望の表示品位を得ることができる。なお、配線抵抗に起因する電圧低下を完全に補償する構成に限定されるものではなく、色（層）ごとに対応する接続配線における配線抵抗のばらつきに起因する電圧変動を低減することができればよい。
【００４３】
なお、図３では、信号補正部２１が信号補正ＬＵＴ２２を参照して映像信号を補正する構成としているが、制御回路２０の構成はこれに限定されない。例えば、各信号補正部２１ｒ，２１ｇ，２１ｂが演算機能を備え、入力された映像信号に対して上記係数を乗算して、補正映像信号を算出し出力する構成であってもよい。
【００４４】
［構成例１−２］
構成例１−２に係る液晶表示装置１は、入力映像信号の階調を強調補正する、所謂オーバードライブ駆動を行う。オーバードライブ駆動を行うための制御回路の構成は、周知の構成を適用することができる。以下では、その一例について説明する。図４は、構成例１−２に係る液晶表示装置１における制御回路２０ｂの一構成例を示すブロック図である。
【００４５】
制御回路２０ｂは、信号処理部２３、オーバードライブ処理部２４、フレームメモリ２５、オーバードライブ用ＬＵＴ２６、及びタイミング制御部２７を含んでいる。制御回路２０ｂは、外部の信号源から入力された映像信号Ｄｉｎ（Ｒ信号、Ｇ信号、Ｂ信号）に対して、階調を強調する補正処理を施すことにより補正した補正映像信号Ｄｏｕｔ（Ｒ´信号、Ｇ´信号、Ｂ´信号）を出力する。
【００４６】
信号処理部２３は、入力された映像信号Ｄｉｎに対して所定の信号処理を施し、映像信号Ｄ１をオーバードライブ処理部２４へ供給するとともに、ゲートドライバ１１及びソースドライバ１２を駆動するための各種タイミング制御信号を生成し、ゲートドライバ１１及びソースドライバ１２へ供給する。
【００４７】
オーバードライブ処理部２４は、信号処理部２３から供給された現在のフレームの映像信号Ｄ１と、フレームメモリ２５に記憶されている１つ前（直前）のフレームの映像信号Ｄ２とに基づき、現在のフレームの映像信号Ｄ１に対して階調補正を行い、補正後の補正映像信号Ｄ１´をフレームメモリ２５へ書き込む（記憶させる）とともに、タイミング制御部２７へ供給する。なお、現在のフレームの映像信号Ｄ１の階調補正処理は、現在のフレームの映像信号Ｄ１の階調及び１つ前のフレームの映像信号Ｄ２の階調と、補正後の現在のフレームの映像信号Ｄ１´の階調とが関連付けられたテーブル（オーバードライブ用ＬＵＴ２６）を参照して行う。オーバードライブ用ＬＵＴ２６には、Ｒ信号用ＬＵＴ、Ｇ信号用ＬＵＴ、及びＢ信号用ＬＵＴが含まれている。
【００４８】
図５は、Ｒ信号用ＬＵＴの一例を示す図である。同図に示すように、Ｒ信号用ＬＵＴは、現フレームの入力映像信号Ｄ１の階調（現階調）の代表値と、１フレーム前の入力映像信号Ｄ２の階調（前階調）の代表値との組み合わせをマトリクス状に配置し、これら代表値の交点に対応する現フレームの補正映像信号Ｄ１´の階調（補正階調）が記憶されている。ここでは、階調の代表値として、０，６４，１２８，１９２，２５５階調を示している。補正階調は、前階調に対する現階調の変化（階調遷移）が上昇（ライズ応答）の場合は現階調よりも大きい階調に設定され、階調遷移が下降（ディケイ応答）の場合は現階調よりも小さい階調に設定される。図６は、Ｇ信号用ＬＵＴの一例を示し、図７は、Ｂ信号用ＬＵＴの一例を示している。
【００４９】
また、図５〜図７に示すように、それぞれの色に対応する信号の補正階調は、階調遷移量が大きい領域において、コンタクトホールの深さに応じて、Ｒ信号の補正階調＞Ｇ信号の補正階調＞Ｂ信号の補正階調の関係を満たすように設定される。
【００５０】
フレームメモリ２５は、上記したように、オーバードライブ処理部２４による補正後の補正映像信号Ｄ１´を、映像信号Ｄ２としてフレーム単位で記憶する。
【００５１】
タイミング制御部２７は、信号処理部２３で生成されるタイミング制御信号に従って、オーバードライブ処理部２４から供給された補正映像信号Ｄ１´（Ｒ´信号、Ｇ´信号、Ｂ´信号）を、映像信号Ｄｏｕｔとしてソースドライバ１２へ出力する。
【００５２】
各ソースドライバ１２は、映像信号Ｄｏｕｔに基づいて、データ信号（階調電圧；出力信号）を出力する。具体的には、各ソースドライバ１２は、Ｒ´信号に基づき生成されたデータ信号を、Ｒ用接続配線ＣＮＬ−Ｒを介してＲ用データラインＤＬ−Ｒに供給し、Ｇ´信号に基づき生成されたデータ信号を、Ｇ用接続配線ＣＮＬ−Ｇを介してＧ用データラインＤＬ−Ｇに供給し、Ｂ´信号に基づき生成されたデータ信号を、Ｂ用接続配線ＣＮＬ−Ｂを介してＢ用データラインＤＬ−Ｂに供給する。本構成例１−２に係る液晶表示装置１によれば、上記構成例１−１に係る液晶表示装置１と同様の効果を得ることができる。
【００５３】
［実施形態２］
本発明の実施形態２に係る液晶表示装置２について説明する。なお、説明の便宜上、実施形態１において示した要素と同一の機能を有する要素には同一の符号を付し、その説明を省略する。また、実施形態１において定義した用語については特に断らない限り本実施の形態においてもその定義に則って用いるものとする。
【００５４】
液晶表示装置２の平面構成は、実施形態１に係る液晶表示装置１（図１参照）と同一である。液晶表示装置２は、接続配線を含む表示パネルの断面構造、及び制御回路の構成（機能）が液晶表示装置１とは異なっている。以下では、液晶表示装置１との相違点を中心に説明する。
【００５５】
図８は、図１の線Ａ−Ｂにおける液晶表示装置２の表示パネル１０の断面の一部を示す図である。同図に示すように、表示パネル１０では、基板１１１上に絶縁膜１１２（絶縁層）が形成されており、絶縁膜１１２上に、第１Ｒ用接続配線ＣＮＬ−１Ｒ、第１Ｇ用接続配線ＣＮＬ−１Ｇ、及び第１Ｂ用接続配線ＣＮＬ−１Ｂが形成されている。また、第１Ｒ用接続配線ＣＮＬ−１Ｒ、第１Ｇ用接続配線ＣＮＬ−１Ｇ、及び第１Ｂ用接続配線ＣＮＬ−１Ｂを覆うように絶縁膜１１３（絶縁層）が形成されており、絶縁膜１１３上に、第２Ｒ用接続配線ＣＮＬ−２Ｒ、第２Ｇ用接続配線ＣＮＬ−２Ｇ、及び第２Ｂ用接続配線ＣＮＬ−２Ｂが形成されている。また、第２Ｒ用接続配線ＣＮＬ−２Ｒ、第２Ｇ用接続配線ＣＮＬ−２Ｇ、及び第２Ｂ用接続配線ＣＮＬ−２Ｂを覆うように絶縁膜１１４（絶縁層）が形成されている。
【００５６】
それぞれの接続配線ＣＮＬ上の絶縁膜には、それぞれの接続配線ＣＮＬに達するコンタクトホールが形成されており、それぞれのコンタクトホール内には導電膜１１５が形成されており、それぞれの接続配線ＣＮＬは導電膜１１５を介して、対応するデータラインＤＬに電気的に接続されている。具体的には、第１Ｒ用接続配線ＣＮＬ−１Ｒ、第１Ｇ用接続配線ＣＮＬ−１Ｇ、及び第１Ｂ用接続配線ＣＮＬ−１Ｂ上の絶縁膜１１３，１１４にコンタクトホールＣＨ−１Ｒ，ＣＨ−１Ｇ，ＣＨ−１Ｂがそれぞれ形成されており、その内部に導電膜１１５が形成され、第１Ｒ用接続配線ＣＮＬ−１ＲとＲ用データラインＤＬ−Ｒ、第１Ｇ用接続配線ＣＮＬ−１ＧとＧ用データラインＤＬ−Ｇ、第１Ｂ用接続配線ＣＮＬ−１ＢとＢ用データラインＤＬ−Ｂがそれぞれ電気的に接続されている。また、第２Ｒ用接続配線ＣＮＬ−２Ｒ、第２Ｇ用接続配線ＣＮＬ−２Ｇ、及び第２Ｂ用接続配線ＣＮＬ−２Ｂ上の絶縁膜１１４にコンタクトホールＣＨ−２Ｒ，ＣＨ−２Ｇ，ＣＨ−２Ｂがそれぞれ形成されており、その内部に導電膜１１５が形成され、第２Ｒ用接続配線ＣＮＬ−２ＲとＲ用データラインＤＬ−Ｒ、第２Ｇ用接続配線ＣＮＬ−２ＧとＧ用データラインＤＬ−Ｇ、第２Ｂ用接続配線ＣＮＬ−２ＢとＢ用データラインＤＬ−Ｂがそれぞれ電気的に接続されている。
【００５７】
このように、液晶表示装置２の表示パネル１０では、隣り合う２本の接続配線ＣＮＬが互いに異なる層に形成されている。すなわち、それぞれの色に対応する接続配線が、それぞれ、第１接続配線ＣＮＬ−１及び第２接続配線ＣＮＬ−２に分類され、第１接続配線ＣＮＬ−１及び第２接続配線ＣＮＬ−２が互いに異なる層に形成されている。第１接続配線ＣＮＬ−１は基板１１１側の下層に形成され、第２接続配線ＣＮＬ−２は絶縁膜１１３を介して第１接続配線ＣＮＬ−１の上層に形成されている。
【００５８】
上記の構成によれば、異なる層において隣り合う接続配線同士の間には絶縁膜が介在しているため、隣り合う配線同士の接触を防ぐことができる。例えば、第１Ｒ用接続配線ＣＮＬ−１Ｒと第２Ｇ用接続配線ＣＮＬ−２Ｇとの間には絶縁膜１１３が介在しているため、これら接続配線同士の接触を防ぐことができる。また、同一層において隣り合う接続配線同士の間隔が広くなるため、隣り合う配線同士の接触を防ぐことができる。例えば、下層において相互に隣り合う第１Ｒ用接続配線ＣＮＬ−１Ｒと第１Ｇ用接続配線ＣＮＬ−１Ｇと第１Ｂ用接続配線ＣＮＬ−１Ｂのそれぞれの間隔が広くなるため、これら接続配線同士の接触を防ぐことができる。
【００５９】
ここで、上記の構成では、第１接続配線ＣＮＬ−１が形成される下層と、第２接続配線ＣＮＬ−２が形成される上層とでコンタクトホール（ＣＨ−１、ＣＨ−２）の深さが互いに異なるため、第１接続配線ＣＮＬ−１における配線抵抗と、第２接続配線ＣＮＬ−２における配線抵抗とが互いに異なる。そこで、異なる層の接続配線の配線抵抗のばらつきに起因する電圧変動を補償して表示品位をより高める液晶表示装置の構成について、構成例２−１，２−２を説明する。
【００６０】
［構成例２−１］
図９は、構成例２−１に係る液晶表示装置２における制御回路２０ｃの概略構成を示すブロック図である。制御回路２０ｃは、信号補正部２１及び信号補正ＬＵＴ２２ｃを含んでいる。信号補正部２１は、外部の信号源から映像信号（Ｒ信号、Ｇ信号、Ｂ信号）を受け取り、信号補正ＬＵＴ２２ｃを参照して映像信号を補正し、補正した補正映像信号（Ｒ´信号、Ｇ´信号、Ｂ´信号）を出力する。
【００６１】
具体的には、信号補正部２１は、Ｒ信号補正部２１ｒ、Ｇ信号補正部２１ｇ及びＢ信号補正部２１ｂを含み、信号補正ＬＵＴ２２ｃは、第１Ｒ信号補正ＬＵＴ、第２Ｒ信号補正ＬＵＴ、第１Ｇ信号補正ＬＵＴ、第２Ｇ信号補正ＬＵＴ、第１Ｂ信号補正ＬＵＴ、及び第２Ｂ信号補正ＬＵＴを含んでいる。Ｒ信号補正部２１ｒは、外部の信号源から入力された、第１Ｒ用接続配線ＣＮＬ−１Ｒに対応する第１Ｒ信号を第１Ｒ信号補正ＬＵＴに基づき補正し、第２Ｒ用接続配線ＣＮＬ−２Ｒに対応する第２Ｒ信号を第２Ｒ信号補正ＬＵＴに基づき補正する。また、Ｇ信号補正部２１ｇは、外部の信号源から入力された、第１Ｇ用接続配線ＣＮＬ−１Ｇに対応する第１Ｇ信号を第１Ｇ信号補正ＬＵＴに基づき補正し、第２Ｇ用接続配線ＣＮＬ−２Ｇに対応する第２Ｇ信号を第２Ｇ信号補正ＬＵＴに基づき補正する。また、Ｂ信号補正部２１ｂは、外部の信号源から入力された、第１Ｂ用接続配線ＣＮＬ−１Ｂに対応する第１Ｂ信号を第１Ｂ信号補正ＬＵＴに基づき補正し、第２Ｂ用接続配線ＣＮＬ−２Ｂに対応する第２Ｂ信号を第２Ｂ信号補正ＬＵＴに基づき補正する。
【００６２】
信号補正ＬＵＴ２２ｃには、それぞれの色及び接続配線ＣＮＬが配置（形成）される層に対応して、映像信号と、補正映像信号とが関連付けられたテーブル（ＬＵＴ）が記憶されている。各テーブルに記憶される補正映像信号は、コンタクトホールの深さに応じて予め設定される。例えば、コンタクトホールの深さが浅い上層に配置される第２接続配線ＣＮＬ−２に対応する映像信号については、映像信号の電圧値に係数１．１を乗じて得た電圧値が補正映像信号として設定され、コンタクトホールの深さが深い下層に配置される第１接続配線ＣＮＬ−１に対応する映像信号については、映像信号の電圧値に係数１．２を乗じて得た電圧値が補正映像信号として設定される。
【００６３】
制御回路２０ｃは、上記のように補正した補正映像信号（第１Ｒ´信号及び第２Ｒ´信号、第１Ｇ´信号及び第２Ｇ´信号、第１Ｂ´信号及び第２Ｂ´信号）を出力する。各ソースドライバ１２は、補正映像信号に基づいて、データ信号（階調電圧；出力信号）を出力する。具体的には、各ソースドライバ１２は、第１Ｒ´信号に基づき生成されたデータ信号を、第１Ｒ用接続配線ＣＮＬ−１Ｒを介してＲ用データラインＤＬ−Ｒに供給し、第２Ｒ´信号に基づき生成されたデータ信号を、第２Ｒ用接続配線ＣＮＬ−２Ｒを介してＲ用データラインＤＬ−Ｒに供給する。また、各ソースドライバ１２は、第１Ｇ´信号に基づき生成されたデータ信号を、第１Ｇ用接続配線ＣＮＬ−１Ｇを介してＧ用データラインＤＬ−Ｇに供給し、第２Ｇ´信号に基づき生成されたデータ信号を、第２Ｇ用接続配線ＣＮＬ−２Ｇを介してＧ用データラインＤＬ−Ｇに供給する。さらに、各ソースドライバ１２は、第１Ｂ´信号に基づき生成されたデータ信号を、第１Ｂ用接続配線ＣＮＬ−１Ｂを介してＢ用データラインＤＬ−Ｂに供給し、第２Ｂ´信号に基づき生成されたデータ信号を、第２Ｂ用接続配線ＣＮＬ−２Ｂを介してＢ用データラインＤＬ−Ｂに供給する。
【００６４】
以上のように、実施形態２に係る液晶表示装置２では、信号補正部２１が、映像信号をそれぞれの色に対応する接続配線ＣＮＬが配置される層位置に応じて補正する構成を有している。さらに信号補正部２１は、上記層位置に応じて、第１接続配線に対応する映像信号に対する補正量と、第２接続配線に対応する映像信号に対する補正量とを互いに異ならせている。
【００６５】
上記の構成によれば、信号補正部２１により補正された各色及び各層に対応する補正量（電圧増加分）は、各色及び各層に対応する接続配線ＣＮＬにおける配線抵抗に起因する電圧低下分によって相殺される。具体的には例えば、Ｒ信号補正部２１ｒにより補正された第１Ｒ信号に対する補正量ΔＶをΔＶｒ１（電圧増加分）とすると、電圧増加分ΔＶｒ１は、第１Ｒ用接続配線ＣＮＬ−１Ｒにおける配線抵抗に起因する電圧低下分により相殺される。また、Ｒ信号補正部２１ｒにより補正された第２Ｒ信号に対する補正量ΔＶをΔＶｒ２（電圧増加分）とすると、電圧増加分ΔＶｒ２は、第２Ｒ用接続配線ＣＮＬ−２Ｒにおける配線抵抗に起因する電圧低下分により相殺される。
【００６６】
このように、配線抵抗に起因する電圧低下を映像信号の補正により補償することができるため、表示画像において、入力映像信号に応じた所望の表示品位を得ることができる。なお、配線抵抗に起因する電圧低下を完全に補償する構成に限定されるものではなく、それぞれの接続配線における配線抵抗のばらつきに起因する電圧変動を低減することができればよい。
【００６７】
図９では、信号補正部２１が信号補正ＬＵＴ２２ｃを参照して映像信号を補正する構成であるが、本実施形態の制御回路２０はこれに限定されない。例えば、各信号補正部２１ｒ，２１ｇ，２１ｂが演算機能を備え、入力された映像信号に対して上記係数を乗算して、補正映像信号を算出し出力する構成であってもよい。
【００６８】
［構成例２−２］
構成例２−２に係る液晶表示装置２は、入力映像信号の階調を強調補正する、所謂オーバードライブ駆動を行う。オーバードライブ駆動を行うための制御回路の構成は、周知の構成を適用することができる。以下では、その一例について説明する。図１０は、構成例２−２に係る液晶表示装置２における制御回路２０ｄの一構成例を示すブロック図である。
【００６９】
制御回路２０ｄは、信号処理部２３、オーバードライブ処理部２４、フレームメモリ２５、オーバードライブ用ＬＵＴ２６ｄ、及びタイミング制御部２７を含んでいる。以下では、構成例１−２に係る制御回路２０ｂ（図４参照）との相違点を中心に説明する。
【００７０】
オーバードライブ用ＬＵＴ２６ｄには、第１Ｒ信号用ＬＵＴ、第２Ｒ信号用ＬＵＴ、第１Ｇ信号用ＬＵＴ、第２Ｇ信号用ＬＵＴ、第１Ｂ信号用ＬＵＴ、及び第２Ｂ信号用ＬＵＴが含まれている。
【００７１】
図１１は、第１Ｒ信号用ＬＵＴの一例を示す図であり、図１２は、第２Ｒ信号用ＬＵＴの一例を示す図である。図１１、図１２に示すように、Ｒ信号の補正階調は、階調遷移量が大きい領域では、Ｒ用接続配線ＣＮＬ−Ｒが配置される層位置（コンタクトホールＣＨ−Ｒの深さ）に応じて、第１Ｒ信号の補正階調＞第２Ｒ信号の補正階調の関係を満たすように設定される。第１Ｇ信号用ＬＵＴ、第２Ｇ信号用ＬＵＴ、第１Ｂ信号用ＬＵＴ、及び第２Ｂ信号用ＬＵＴの図示は省略しているが、同様に、Ｇ信号の補正階調は、階調遷移量が大きい領域では、第１Ｇ信号の補正階調＞第２Ｇ信号の補正階調の関係を満たすように設定され、Ｂ信号の補正階調は、階調遷移量が大きい領域では、第１Ｂ信号の補正階調＞第２Ｂ信号の補正階調の関係を満たすように設定される。
【００７２】
オーバードライブ処理部２４は、上記オーバードライブ用ＬＵＴ２６ｄを参照して、現在のフレームの映像信号Ｄ１に対して階調補正を行い、補正後の補正映像信号Ｄ１´をフレームメモリ２５へ書き込む（記憶させる）とともに、タイミング制御部２７へ供給する。
【００７３】
タイミング制御部２７は、信号処理部２３で生成されるタイミング制御信号に従って、オーバードライブ処理部２４から供給された補正映像信号Ｄ１´（第１Ｒ´信号及び第２Ｒ´信号、第１Ｇ´信号及び第２Ｇ´信号、第１Ｂ´信号及び第２Ｂ´信号）を、映像信号Ｄｏｕｔとしてソースドライバ１２へ出力する。
【００７４】
各ソースドライバ１２は、映像信号Ｄｏｕｔに基づいて、データ信号（階調電圧；出力信号）を出力する。具体的には、各ソースドライバ１２は、第１Ｒ´信号に基づき生成されたデータ信号を、第１Ｒ用接続配線ＣＮＬ−１Ｒを介してＲ用データラインＤＬ−Ｒに供給し、第２Ｒ´信号に基づき生成されたデータ信号を、第２Ｒ用接続配線ＣＮＬ−２Ｒを介してＲ用データラインＤＬ−Ｒに供給する。また、各ソースドライバ１２は、第１Ｇ´信号に基づき生成されたデータ信号を、第１Ｇ用接続配線ＣＮＬ−１Ｇを介してＧ用データラインＤＬ−Ｇに供給し、第２Ｇ´信号に基づき生成されたデータ信号を、第２Ｇ用接続配線ＣＮＬ−２Ｇを介してＧ用データラインＤＬ−Ｇに供給する。さらに、各ソースドライバ１２は、第１Ｂ´信号に基づき生成されたデータ信号を、第１Ｂ用接続配線ＣＮＬ−１Ｂを介してＢ用データラインＤＬ−Ｂに供給し、第２Ｂ´信号に基づき生成されたデータ信号を、第２Ｂ用接続配線ＣＮＬ−２Ｂを介してＢ用データラインＤＬ−Ｂに供給する。
【００７５】
本構成例２−２に係る液晶表示装置２によれば、上記構成例２−１に係る液晶表示装置２と同様の効果を得ることができる。
【００７６】
本発明は上記各実施形態に限定されない。例えば、映像信号がＲＧＢＷ方式（あるいはＲＧＢＹ方式）である場合、それぞれの色に対応する出力信号が供給される複数の接続配線を、それぞれの色に対応して互いに異なる層に形成し、４層構造としてもよい。また、Ｒ用接続配線が配置されるＲ層と、Ｂ用接続配線が配置されるＢ層とを下層に配置し、Ｇ用接続配線が配置されるＧ層と、Ｗ用接続配線（あるいはＹ用接続配線）が配置されるＷ層（あるいはＹ層）とを上層に形成し、２層構造としてもよい。それぞれの構造において、上述した信号補正処理を行うことにより、隣り合う配線同士の接触を防ぐとともに、表示品位の低下を防ぐことができる。
【００７７】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００７８】
１，２  液晶表示装置、１０  表示パネル、１１  ゲートドライバ、１２  ソースドライバ、２０，２０ａ，２０ｂ，２０ｃ，２０ｄ  制御回路、２１  信号補正部、２２，２２ｃ  信号補正ＬＵＴ、２３  信号処理部、２４  オーバードライブ処理部、２５  フレームメモリ、２６，２６ｄ  オーバードライブ用ＬＵＴ、２７  タイミング制御部、１０１，１１１  基板、１０２，１０３，１０４，１０５，１１２，１１３，１１４  絶縁膜、１０６，１１５  導電膜、ＣＮＬ  接続配線、ＣＨ  コンタクトホール、ＧＬ  ゲートライン、ＤＬ  データライン。
【図１】
2015007676.tif 000003
【図２】
2015007676.tif 000004
【図３】
2015007676.tif 000005
【図４】
2015007676.tif 000006
【図５】
2015007676.tif 000007
【図６】
2015007676.tif 000008
【図７】
2015007676.tif 000009
【図８】
2015007676.tif 000010
【図９】
2015007676.tif 000011
【図１０】
2015007676.tif 000012
【図１１】
2015007676.tif 000013
【図１２】
2015007676.tif 000014